(57)【要約】【課題】浴室ＢＲの浴槽ＢＲｂの上方の天井部に設置される浴室暖房機１に付設されるミストサウナ装置において、広い浴室でも強めや弱めの種々のサウナ浴を楽しむことができ、且つ、体感的に好ましくない大粒径のミストを噴霧せずに浴室の湿度、室温を速く立上らせることができるようにする。【解決手段】浴室ＢＲ内に露出する浴室暖房機１のカバー２に沿って浴槽ＢＲｂの上方位置に横長に延在する収納位置と、カバー２から洗い場ＢＲａの上方位置に向けて横方向に張り出す張り出し位置とに揺動自在なスイングパイプ５を備える。スイングパイプ５にその揺動支点となる回転ジョイントを介して温水を供給し、スイングパイプ５に設けた複数のミストノズル５３から温水を噴霧する。【選択図】図１
2008188318.tif 000002
【特許請求の範囲】
【請求項１】
浴室の浴槽の上方の天井部に設置される浴室暖房機に付設されるミストサウナ装置であって、
浴室の洗い場と浴槽との並び方向を横方向として、浴室内に露出する浴室暖房機のカバーに沿って浴槽の上方位置に横長に延在する収納位置と、カバーから洗い場の上方位置に向けて横方向に張り出す張り出し位置とに揺動自在なスイングパイプを備え、スイングパイプにはその軸線方向に間隔を存して複数のミストノズルが設けられ、スイングパイプの揺動支点となる回転ジョイントを介してスイングパイプに供給される温水がこれらミストノズルから噴霧されることを特徴とするミストサウナ装置。
【請求項２】
前記スイングパイプが２本設けられていることを特徴とする請求項１記載のミストサウナ装置。
【請求項３】
前記スイングパイプは軸線方向に分割された複数の分割パイプで構成され、これら分割パイプが軸線回りに回動自在に連結されていることを特徴とする請求項１又は２記載のミストサウナ装置。
【請求項４】
前記カバーの横方向に直交する方向の側部に上方に窪む段部が形成され、前記スイングパイプが前記収納位置で段部に収まることを特徴とする請求項１〜３の何れか１項記載のミストサウナ装置。
【発明の詳細な説明】
【技術分野】
【０００１】
本発明は、浴室暖房機に付設されるミストサウナ装置に関する。
【背景技術】
【０００２】
浴室暖房機は、一般的に、浴室の浴槽の上方の天井部に設置される。浴室内に露出する浴室暖房機のカバーには、浴室内の空気を吸込む吸込み口と、浴室暖房機内で加熱された空気を浴室内に送風する温風吹出し口とが形成される。そして、従来、このような浴室暖房機に付設されるミストサウナ装置として、浴室暖房機のカバーに、浴室の洗い場に対し温風吹出し口より離れた部分に位置させて、温水を噴霧するミストノズルを設けたものが知られている（例えば、特許文献１参照）。
【０００３】
このものでは、温風吹出し口に設けた可変ルーバで温風の吹出し方向を洗い場側に向けると、ミストノズルから噴霧されたミストが温風に乗って洗い場に運ばれる状態になり、入浴者が洗い場でミストを浴びながら強めのサウナ浴を楽しむことができる。また、可変ルーバで温風の吹出し方向を浴槽側に向けると、ミストノズルと洗い場との間に温風によるエアカーテンが形成される。そのため、ミストノズルから噴霧されたミストの洗い場への到達が抑制され、入浴者が洗い場でミストを浴びない弱めのサウナ浴を長い時間楽しむことができる。
【０００４】
ところで、最近は１．５坪や２坪といった広い浴室が増えてきている。このような広い浴室では、上記従来例の如く温風の吹出し方向を洗い場側に向けても、ミストが洗い場に行渡りにくくなる。また、浴室全体の湿度が１００％になるまでに時間がかかり、そのため、浴室の室温の立上りも遅くなる。この場合、ミストノズルへの温水供給量を多くすることが考えられるが、これではミストノズルから噴霧されるミストの粒径が大きくなり、体感的に好ましくない。
【特許文献１】特開２００６−６８１３０号公報
【発明の開示】
【発明が解決しようとする課題】
【０００５】
本発明は、以上の点に鑑み、広い浴室でも強めや弱めの種々のサウナ浴を楽しむことができ、且つ、体感的に好ましくない大粒径のミストを噴霧せずに浴室の湿度、室温を速く立上らせることができるようにしたミストサウナ装置を提供することをその課題としている。
【課題を解決するための手段】
【０００６】
上記課題を解決するために、本発明は、浴室の浴槽の上方の天井部に設置される浴室暖房機に付設されるミストサウナ装置であって、浴室の洗い場と浴槽との並び方向を横方向として、浴室内に露出する浴室暖房機のカバーに沿って浴槽の上方位置に横長に延在する収納位置と、カバーから洗い場の上方位置に向けて横方向に張り出す張り出し位置とに揺動自在なスイングパイプを備え、スイングパイプにはその軸線方向に間隔を存して複数のミストノズルが設けられ、スイングパイプの揺動支点となる回転ジョイントを介してスイングパイプに供給される温水がこれらミストノズルから噴霧されることを特徴とする。
【０００７】
本発明によれば、スイングパイプを張り出し位置に揺動することで、スイングパイプの複数のミストノズルから噴霧される温水ミストが洗い場に降り注がれることになる。そのため、広い浴室でも洗い場に温水ミストが行渡り、入浴者が洗い場でミストを浴びながら強めのサウナ浴を楽しむことができる。また、スイングパイプを収納位置に揺動すれば、ミストノズルから噴霧される温水ミストは浴槽に降り注がれて洗い場には達しにくくなり、入浴者が洗い場でミストを浴びない弱めのサウナ浴を長い時間楽しむことができる。
【０００８】
また、浴室の湿度、室温の立上りを速めるためにスイングパイプへの温水供給量を多くしても、温水は複数のミストノズルから分散して噴霧されるため、噴霧されるミストの粒径は大きくならない。従って、体感的に好ましくない大粒径のミストを噴霧せずに浴室の湿度、室温を速く立ち上げることができる。
【０００９】
また、本発明においては、スイングパイプが２本設けられていることが望ましい。これによれば、スイングパイプが１本の場合に比し、各スイングパイプへの温水供給量は半分で済む。その結果、体感的に好ましいより小粒径のミストを噴霧しながら浴室の湿度、室温を速く立上げることができる。更に、一方のスイングパイプを張り出し位置に揺動し、他方のスイングパイプを収納位置に揺動することで、浴室全体にミストを行渡らせることもできる。
【００１０】
また、本発明において、スイングパイプは軸線方向に分割された複数の分割パイプで構成され、これら分割パイプが軸線回りに回動自在に連結されていることが望ましい。これによれば、分割パイプを回動することで、この分割パイプに設けたミストノズルの噴霧方向を他の分割パイプに設けたミストノズルの噴霧方向と異ならせることができる。そのため、より多様なサウナ浴を楽しむことができる。
【００１１】
また、本発明においては、浴室暖房機のカバーの横方向に直交する方向の側部に上方に窪む段部が形成され、スイングパイプが収納位置で段部に収まることが望ましい。これによれば、収納位置においてスイングパイプがカバーの下方に出っ張らず、体裁が良好になる。
【発明を実施するための最良の形態】
【００１２】
図１を参照して、ＢＲは浴室を示している。浴室ＢＲの洗い場ＢＲａの脇には浴槽ＢＲｂが設置されている。また、浴室ＢＲの浴槽ＢＲｂの上方の天井部には浴室暖房機１が配置されている。
【００１３】
浴室暖房機１の下面には、浴室ＢＲ内に露出するカバー２が設けられている。カバー２には、図４に示す如く、格子状の吸込み口３と、吸込み口３から洗い場ＲＢａ寄りに離れた温風吹出し口４とが形成されている。また、温風吹出し口４には可変ルーバ４ａが設けられている。
【００１４】
浴室暖房機１内には、図示省略したが、循環ファンと熱源機で加熱された熱媒体を供給する放熱器とが設けられている。そして、循環ファンの作動により浴室ＢＲ内の空気を吸込み口３から浴室暖房機１内に吸込んで放熱器により加熱し、温風吹出し口４から浴室ＢＲ内に温風として吹出す。
【００１５】
ここで、洗い場ＢＲａと浴槽ＢＲｂとの並び方向を横方向として、カバー２の横方向に直交する方向の両側部、即ち、カバー２の前側の側部と後側の側部には、図２、図４に示す如く、２本のスイングパイプ５，５が配置されている。各スイングパイプ５は、図３に示す如く、樹脂製の外管５１と、外管５１にインサートした銅等の金属製の内管５２とで構成されている。各スイングパイプ５には、内管５２に接続される下向きのミストノズル５３がスイングパイプ５の軸線方向に間隔を存して複数（図示例では５個）設けられている。
【００１６】
また、カバー２の前後の各側部の洗い場ＢＲａ寄りの端部には、温水配管６の末端が配置されている。そして、各スイングパイプ５の一端を回転ジョント５４を介して温水配管６の末端に上下方向の軸線回りに回動自在に連結している。かくして、各スイングパイプ５は、カバー２に沿って浴槽ＢＲｂの上方位置に横長に延在する収納位置と、カバー２から洗い場ＢＲａの上方位置に向けて横方向に張り出す張り出し位置とに回転ジョイント５４を支点にして揺動自在になる。
【００１７】
温水配管６には、熱源機からの熱媒体を供給する図外の液々熱交換器で加熱された温水が供給される。この温水は回転ジョイント５４を介してスイングパイプ５に供給される。そして、スイングパイプ５に設けた複数のミストノズル５ａから温水が下向きに噴霧される。尚、温水配管６に給湯器からの温水を供給することも可能である。
【００１８】
カバー２の前後の各側部には上方に窪む段部２ａが形成されている。そして、各スイングパイプ５を収納位置に揺動したときに、各スイングパイプ５が段部２ａに収まるようにしている。これによれば、収納位置でスイングパイプ５がカバー２の下方に出っ張らず、体裁が良好になる。
【００１９】
ミスト運転時には、温風吹出し口４から温風を吹出すと共に、各スイングパイプ５に温水を供給して、各ミストノズル５ａから温水を噴霧する。ここで、浴室ＢＲが広い場合、浴室ＢＲの湿度、室温の立上りを速めるためにはスイングパイプ５への温水供給量をかなり多くすることが必要になる。スイングパイプ５にミストノズル５ａが１個しか設けられていない場合には、温水供給量をこのように多くすると、ミストノズル５ａから噴霧されるミストの粒径が大きくなりすぎて、体感的に好ましくない。これに対し、本実施形態では、スイングパイプ５への温水供給量を多くしても、温水はスイングパイプ５に設けた複数のミストノズル５ａから分散して噴霧されるため、ミストの粒径は然程大きくならない。更に、本実施形態ではスイングパイプ５が２本設けられているため、スイングパイプ５が１本しか設けられていない場合に比し、各スイングパイプ５に供給すべき温水の流量が半減する。その結果、体感的に好ましい小粒径のミストを噴霧しながら浴室ＢＲの湿度、室温を速く立ち上げることができる。
【００２０】
また、図１（ａ）、図４（ａ）に示す如く、カバー２の前後両側の２本のスイングパイプ５，５を共に張り出し位置に揺動すれば、両スイングパイプ５，５の複数のミストノズル５３から噴霧される温水ミストが洗い場ＢＲａに降り注がれることになる。そのため、広い浴室でも洗い場ＢＲａに温水ミストが行渡り、入浴者Ｐが洗い場ＢＲａでミストを浴びながら強めのサウナ浴を楽しむことができる。尚、この場合には、可変ルーバ４ａにより温風の吹出し方向を洗い場ＢＲａ側に向ける。
【００２１】
また、図１（ｂ）、図４（ｂ）に示す如く、２本のスイングパイプ５，５を共に収納位置に揺動すれば、温水ミストは浴槽ＢＲｂに降り注がれる。そして、可変ルーバ４ａにより温風の吹出し方向を浴槽ＢＲｂ側に向けることで、温水ミストの洗い場ＢＲａへの到達が抑制される。従って、入浴者Ｐが洗い場ＢＲａでミストを浴びない弱めのサウナ浴を長い時間楽しむことができる。更に、図４（ｃ）に示す如く、一方のスイングパイプ５を張り出し位置に揺動し、他方のスイングパイプ５を収納位置に揺動すれば、浴室ＢＲ全体にミストを行渡らせることもできる。
【００２２】
図５はスイングパイプの他の実施形態を示している。上記実施形態と相違するのは、スイングパイプ５が軸線方向に２分割された第１と第２の２個の分割パイプ５ａ，５ｂで構成されていることである。ここで、第１分割パイプ５ａの一端は、温水配管７の末端に回転ジョイント５４を介して上下方向の軸線回りに回動自在に連結されている。そして、第１分割パイプ５ａの他端に第２分割パイプ５ｂを回転ジョイント５５を介してスイングパイプ５の軸線回りに回動自在に連結している。
【００２３】
これによれば、第２分割パイプ５ｂに設けたミストノズル５３の噴霧方向を第２分割パイプ５ｂの回動で下向き以外の方向に変えることができる。そのため、より多様なサウナ浴を楽しむことが可能になる。例えば、スイングパイプ５を張り出し位置に揺動させた状態で第２分割パイプ５ｂを回動して、第２分割パイプ５ｂのミストノズル５３の噴霧方向をその下に居る入浴者の前後に外れた方向に向けることにより、ミストを直接身体に当てずに入浴者の周りをミストで包み込むようなミスト浴を行うことができる。
【００２４】
尚、図５に示す実施形態では、スイングパイプ５を２分割したが、３個以上に分割することも勿論可能である。
【図面の簡単な説明】
【００２５】
【図１】本発明の実施形態のミストサウナ装置を付設した浴室暖房機を備える浴室を示す説明図。
【図２】図１の浴室暖房機の側面図。
【図３】図１のミストサウナ装置のスイングパイプの縦断面図。
【図４】スイングパイプの位置変化を示す説明図。
【図５】他の実施形態のスイングパイプの縦断面図。
【符号の説明】
【００２６】
ＢＲ…浴室、ＢＲａ…洗い場、ＢＲｂ…浴槽、１…浴室暖房機、２…カバー、２ａ…段部、５…スイングパイプ、５３…ミストノズル、５４…回転ジョイント、５ａ，５ｂ…分割パイプ。
【図１】
2008188318.tif 000003
【図２】
2008188318.tif 000004
【図３】
2008188318.tif 000005
【図４】
2008188318.tif 000006
【図５】
2008188318.tif 000007